(57)【要約】本発明は二本のガイド軸（４）で案内されるスライド（９）のための遊動ベアリングに関する。この遊動ベアリングは、ガイド軸（４）の一つによって案内されるリニアベアリング（３）と、このリニアベアリング（３）を内蔵して接続片（１）でスライド（９）に結合される軸受ハウジング（２）とを備えている。本発明の課題は、耐用寿命が長く、しかもスライドを二本のガイド軸の軸心によって画定される軸平面と平行に正確に案内でき、組立も比較的簡単で低コストとすることのできる遊動ベアリングを提供することにある。これらの課題を解決するため、接続片（１）は軸受ハウジング（２）をガイド軸（４）の長手方向と直角で且つ両方のガイド軸（４）の軸心（５，６）で画定される軸平面（７）と平行な方向に移動できるように取り付けることのできる構成を備えている。
2004506149.tif 000002
【特許請求の範囲】
【請求項１】
二本のガイド軸（４）で案内されるスライド（９）のための遊動ベアリングであって、これらガイド軸（４）の一つによって案内されるリニアベアリング（３）と、このリニアベアリング（３）を内蔵して接続片（１）でスライド（９）に結合される軸受ハウジング（２）とを有するものにおいて、接続片（１）が軸受ハウジング（２）をガイド軸（４）の長手方向と直角で且つ両方のガイド軸（４）の軸心（５，６）で画定される軸平面（７）と平行な方向に移動可能に取り付ける構成を備えていることを特徴とする遊動ベアリング。
【請求項２】
前記接続片（１）に対して軸受ハウジング（２）がガイド軸（４）の長手方向と直角で且つ軸平面（７）と平行な方向に延在する軸心（８）を中心として枢動できるように取り付けられていることを特徴とする請求項１に記載の遊動ベアリング。
【請求項３】
前記軸受ハウジング（２）が、それぞれガイド軸（４）の長手方向と直角で且つ軸平面（７）と平行な方向に延在する二つの横向きピン状突部（１２，１３）を有し、これらのピン状突部が軸受ハウジング（２）の側方位置で接続片（１）の各案内部（１４、１５）にそれぞれ軸方向摺動可能に取り付けられていることを特徴とする請求項２に記載の遊動ベアリング。
【請求項４】
各ピン状突部（１２，１３）が軸受ハウジング（２）を貫通して延在する一つの枢支軸（１０）の両端部を形成していることを特徴とする請求項３に記載の遊動ベアリング。
【請求項５】
各ピン状突部（１２，１３）が円柱形状の外形を有すると共に円柱の軸心回りで枢動可能に各案内部（１４，１５）に取り付けられていることを特徴とする請求項３又は４に記載の遊動ベアリング。
【請求項６】
前記枢支軸（１０）がスライド（９）と平行に軸受ハウジング（２）の両側部に設けた貫通穴（１１）に恒久的に取り付けられていることを特徴とする請求項４に記載の遊動ベアリング。
【請求項７】
前記接続片（１）がスライド（９）の台板へ固定するための取付板（１６）を有し、この取付板に軸受ハウジング（２）を取り付けるための各案内部（１４，１５）が設けられていることを特徴とする請求項３に記載の遊動ベアリング。
【請求項８】
前記リニアベアリング（３）がプラスチック製滑り軸受として構成されていることを特徴とする請求項１〜７のいずれか１項に記載の遊動ベアリング。
【請求項９】
前記軸受ハウジング（２）が円筒状外形のリニアベアリング（３）を受け入れる円筒状内形の閉空間（２１）を有することを特徴とする請求項１〜８のいずれか１項に記載の遊動ベアリング。
【請求項１０】
前記軸受ハウジング（２）が長手スリット（２３）を有する実質的に円筒状外形のリニアベアリング（３）を受け入れるための同様に長手スリット（２２）を有する実質的に円筒状内形の空間（２１）を有し、これら長手スリット（２２，２３）を各ガイド軸（４）の支持体（２６）が通過していることを特徴とする請求項１〜８のいずれか１項に記載の遊動ベアリング。
【請求項１１】
第１と第２のガイド軸（４）によって案内されるスライドであって、第１のガイド軸（４）に組み合わされた少なくとも一つのベアリングと、第２のガイド軸（４）に組み合わされた請求項１〜１０のいずれか１項に記載の少なくとも一つの遊動ベアリングとを備えたことを特徴とするスライド。
【請求項１２】
それぞれスライド（９）に固定された軸受ハウジング（２５）を備え、前記第１のガイド軸（４）に組み合わされた二つのベアリングと、これら二つのベアリング間の距離の略半分の位置で前記第２のガイド軸（４）に組み合わされた請求項１〜１０のいずれか１項に記載の一つの遊動ベアリングとを備えたことを特徴とする請求項１１に記載のスライド。
【発明の詳細な説明】
【０００１】
本発明は、二本のガイド軸上を案内されるスライドのための遊動ベアリングに関し、特にこれらガイド軸の一つによって案内されるリニアベアリングと、このリニアベアリングを内蔵して接続片でスライドに結合される軸受ハウジングとを有する形式の遊動ベアリングに関するものである。
【０００２】
この種のスライドは、一方のガイド軸上の少なくとも一つのベアリングと、他方のガイド軸上の少なくとも一つのベアリングとによって案内されるため、一方のガイド軸のベアリングは、二本のガイド軸間の平行度の誤差を補償することのできる遊動ベアリングとして構成されていることが好ましい。
【０００３】
公知の遊動ベアリングでは、リニアベアリングが軸受ハウジングとの間で或る量の遊びを許容する構成部品で取り囲まれている。
【０００４】
この遊びは本質的に全方向に存在しているが、二本のガイド軸の軸心で画定される平面に対して直角な方向の遊びは望ましい成分ではなく、それは、この平面に対して平行な方向にスライドを高精度で案内することの阻害要因となるからである。
【０００５】
また、全方向に存在する遊びで補償できる平行度の誤差は極く僅かなものでしかない。
【０００６】
リニアベアリングの全周に遊びが存在することを考えると、リニアベアリングがスライドを軸受したときにガイド軸と接するベアリング面は幾何学的に線状の領域に制限され、従って高度の磨耗に曝されることになる。
【０００７】
例えば予張力を付与された玉軸受けなどの精密ベアリングにおいては、極く僅かな平行度の誤差でも余分な張力がレース、従ってベアリング自体に作用することがあり、結果としてベアリングの耐用寿命が短くなる。
【０００８】
リニアベアリングと軸受ハウジングとの間に僅かな遊びしかない公知の遊動ベアリングの構造は極めて面倒な組立作業を要し、従って組立コストが嵩み、また組立作業自体、技術的に複雑である。
【０００９】
本発明の課題は、本明細書の冒頭に記載の形式の遊動ベアリングを更に改良して、耐用寿命が長く、しかもスライドを二本のガイド軸の軸心によって画定される軸平面と平行に正確に案内でき、組立も比較的簡単で低コストとすることのできる遊動ベアリングを提供することにある。
【００１０】
この課題は、本発明によれば、冒頭に記載の形式の遊動ベアリングにおいて、軸受ハウジングをガイド軸の長手方向と直角で且つ両方のガイド軸の軸心で画定される軸平面と平行な方向に移動可能に取り付けるように構成した接続片を設けることにより解決されるものである。
【００１１】
このような軸受ハウジングの可動性は、それぞれの方向の何らかの適切な形式のリニア案内部による前記接続片によって実現することができる。これにより、二本のガイド軸の平行誤差は、比較的組み立てが簡単で付随コストを低減可能な単純構造のリニア案内部によって補償することができる。本発明による構成においては、リニアベアリングと軸受ハウジングとの間における上記以外の方向、特に軸平面と直角な方向の遊びを無くすことができる。また、非遊動固定ベアリングの場合に比べてベアリング面が狭くなることがないので、ベアリング面の磨耗が増大することもない。本発明による遊動ベアリングでは、固定ベアリングと同等の耐用寿命を得ることができる。
【００１２】
本発明による遊動ベアリングに使用可能なリニアベアリングは、従来形式のいずれかのリニアベアリング、特に滑り軸受又は玉軸受形式のものとすることができる。本発明による遊動ベアリングは、全ての標準サイズのリニアベアリングに連結することができる。
【００１３】
本発明の好適な構成によれば、軸平面内及び該軸平面と直角な方向におけるそれぞれの平行誤差を補償可能とする目的で、接続片に対して軸受ハウジングが両ガイド軸の長手方向と直交し且つ軸平面と平行に延在する軸心を中心として枢動できるように装着される構成となっている。
【００１４】
本発明の特に単純な構成によれば、軸受ハウジングは各ガイド軸の長手方向と直交し且つ軸平面と平行に延在する二つの横向きピン状突部を有し、これらのピン状突部は軸受ハウジングの側方位置で接続片の各案内部にそれぞれ軸方向摺動可能に取り付けられている。
【００１５】
これら二つのピン状突部は、軸受ハウジングの側部または軸受ハウジング自体に一体成形されていてもよい。また別の好適な構成として、これらのピン状突部が軸受ハウジングを貫通して延在する一つの枢支軸の両端部を形成していてもよい。
【００１６】
この場合、枢支軸はスライドと平行に軸受ハウジングの両側部に設けた貫通穴に例えば圧入等によって恒久的に取り付けられていてもよい。
【００１７】
軸受ハウジングを更にガイド軸の軸心回りにも枢動できるようにするため、各ピン状突部は外形が円柱形状であると共に軸心回りで枢動可能に各案内部に装着されている。
【００１８】
接続片は、接続片自体をスライドの台板へ固定するための取付板を備えていてもよく、その場合、軸受ハウジングを取り付けるための各案内部はこの取付板上に設けられることになる。一例として、取付板はネジを用いてスライドの台板に取り付けることができる。
【００１９】
但し、各案内部はスライドの台板上に直接設けてもよく、それによって接続片が各案内部と軸受ハウジングの直線移動又は枢動用取付部を取り囲むだけにしてもよい。
【００２０】
本発明の遊動ベアリングにおけるリニアベアリングは、特にプラスチック製滑り軸受として構成することができる。この場合、市販の標準サイズの滑り軸受を使用可能である。
【００２１】
本発明の遊動ベアリングにおける軸受ハウジングは、実質的に円筒状外形のリニアベアリングを受け入れる実質的に円筒状内形の閉空間を形成するものとしてもよい。このような構成は、二本のガイド軸の両端部をスライドの移動範囲の外でそれぞれ支持体によって保持する場合に検討するに値するものである。
【００２２】
ガイド軸の支持体は、スライドの移動範囲に亘って各ガイド軸の側面の一部に延在していてもよく、この場合、軸受ハウジングは長手スリットを有する実質的に円筒形の空間を有し、この空間に同様の長手スリットを有する実質的に円筒形のリニアベアリングが受け入れられるようになっている。この場合のこれら長手スリットは、支持体をそれぞれのガイド軸に連結している部分を通過させるためのものである。
【００２３】
本発明は第１と第２のガイド軸によって案内されるスライドも提供し、このスライドは、第１のガイド軸に組み合わされた少なくとも一つのベアリングと、第２のガイド軸に組み合わされた少なくとも一つの遊動ベアリングとを備えていることを特徴とする。この遊動ベアリングは前述の本発明による構成を備えた遊動ベアリングである。
【００２４】
この場合、好適な形態によるスライドは、第１のガイド軸に組み合わされた二つのベアリングと、これら二つのベアリング間の距離の略半分の位置で第２のガイド軸に組み合わされた本発明による一つの遊動ベアリングとを備えており、これらいずれのベアリングも、それぞれスライドに固定された軸受ハウジングを備えている。
【００２５】
尚、場合によっては一つのスライドにおいて本発明による遊動ベアリングの複数個を第２のガイド軸に組み合わせて使用してもよい。
【００２６】
本発明の幾つかの実施形態を図面と共に説明すれば以下の通りである。
【００２７】
ここで述べる三つの実施形態の図１ｂ〜３ｃに示されているように、この遊動ベアリングは軸受ハウジング２を有し、この軸受ハウジングは接続片１によってスライド（図４ａ〜４ｃ参照）に結合されると共にリニアベアリング３を内蔵している。
【００２８】
以下に詳述するように、接続片１は、軸受ハウジング２が各ガイド軸（図４ｂの符号４参照）の長手方向と直交し且つ両ガイド軸４の軸心（図４ａ〜４ｃの符号５と６参照）で画定される軸平面（図４ａの符号７参照）と平行に移動できる形態で取り付けられるように構成されている。
【００２９】
接続片１はまた、軸受ハウジング２が各ガイド軸４の長手方向と直角で且つ軸平面７と平行に延在する軸心８を中心として枢動できる形態で取り付けられるように構成されている。
【００３０】
スライド（図４ａ〜４ｃの符号９参照）に対する直線的な案内と枢動を可能とするため、図１ａ〜１ｃに示す実施形態における軸受ハウジング２は枢支軸１０を有しており、この枢支軸は、スライド９に対面する側の軸受ハウジング２の側部に設けられている貫通穴１１に恒久的に取り付けられている。枢支軸１０は貫通穴１１内に圧入されており、この枢支軸の両端部１２と１３は、軸受ハウジング２の両側部からピン状に突出している。枢支軸１０の両端部１２と１３は、軸受ハウジング２の側部に位置する接続片１の案内部１４及び１５内に軸方向摺動可能に且つ軸心８を中心として枢動可能に取り付けられている。
【００３１】
接続片１は取付板１６で構成され、この取付板には、軸受ハウジング２の両側部のそれぞれにおいて案内部１４及び１５が一体成形されている。取付板１６の中央部には、枢支軸１０の周囲の領域に凹部１７が設けられており、この凹部の中に貫通穴１１の周囲の軸受ハウジング２の突出部１８が入り込んでいる。リニアベアリング３とは反対側に位置する突出部１８の底部１９は、取付板１６の底面２０から或る距離だけ隔てられた位置に配置されている。この距離により、取付板１６がスライド９に結合された状態における枢支軸１０の軸心８を中心とする軸受ハウジング２の枢動角が制限されている。
【００３２】
図１ａ〜１ｃに示すように、軸受ハウジング２は、長手スリット２２を有する実質的に円筒状内形の空間２１と、この空間内に配置され、同様に長手スリット２３を有する実質的に円筒状外形のリニアベアリング３とを備えており、これら長手スリット２２及び２３は、それぞれ対応するガイド軸４のための支持体（図４ａ〜４ｃの符号２６参照）が通過できるように構成されている。
【００３３】
図２ａ〜２ｃに示す実施形態における軸受ハウジング２は、案内部１４及び１５内での軸方向摺動及び枢動用の枢支軸に代えて、図１ａ〜１ｃに示した実施形態における枢支軸１０の両端部１２及び１３に対応する二つの横向きに配置された円柱状のピン１２及び１３を有している。これらのピン１２及び１３は、軸受ハウジング２の長手方向と直角で且つ取付板６と平行に延在する軸受ハウジング２の中心軸２４上に同心配置されている。
【００３４】
一方、取付板１６上の軸受ハウジング２の両側部に一体成形された案内部１４及び１５は前記各ピンに対応する開口を有しており、これら開口内に軸受ハウジング２のピン１２が中心軸２４の長手方向に沿って摺動可能且つ該中心軸まわりに枢動可能となるように取り付けられている。
【００３５】
軸受ハウジング２は、軸受ハウジング２がスライドの台板１６に対して平行な状態で軸受ハウジング２の底部１９が台板１６から或る距離だけ離れて位置するように案内部１４及び１５によって支持されている。この距離は比較的短い距離に維持することができるが、この距離によって台板１６に対する軸受ハウジング２の枢動角が制限されている。
【００３６】
図２ａ〜２ｃに示した実施形態では、軸受ハウジング２は円筒状内形の閉空間２１を有しており、この閉空間の中に対応する円筒状外形のリニアベアリング３が収容されている。従って、この形態のベアリングはスライドの移動範囲外で支持体により支持されたガイド軸に適している。
【００３７】
図３ａ〜３ｃは第３の実施形態を示しており、この第３の実施形態は、軸受ハウジング２が台板１６とは反対側の側部に長手スリット２２を有するという点で図２ａ〜２ｃの実施形態と異なっている。軸受ハウジング２の内部に配置されているリニアベアリング３も対応する長手スリット２３を備えている。この構成のベアリングは、図４ａに示すように下面側で長手方向に延在する支持体により適正位置に支持されているガイド軸に適している。
【００３８】
図４ａ〜４ｃは、二本の本質的に平行なガイド軸４と、これらガイド軸上で案内されるスライド９とからなるガイド装置の構成を示している。図４ａの左側に現れているガイド軸４には二つの非遊動固定ベアリング（図４ｃの側面図に特に明確に図示してある）が装着されており、これら固定ベアリングはスライド９に恒久的に連結されていると共に、それぞれブロック形式の固定軸受ハウジング２５とリニアベアリング３とによって構成されている。
【００３９】
図４ａの右側に現れているガイド軸４には、図３ａ〜３ｃに示した実施形態による遊動ベアリングが装着されている。図４ｂ及び４ｃに示すように、この遊動ベアリングは、二つの固定軸受ハウジング２５間の距離の略半分の位置に配置されている。従ってスライド９が移動する際に軸平面７（図４ａ参照）内の平衡誤差及び該軸平面７と直交する方向の平行誤差のいずれも補償可能である。
【００４０】
図４ａに特に明示してあるように、ガイド軸４の下面にはガイド軸全長に亘って延在する一体成形の支持体２６が設けられているので、軸受ハウジング２及び２５とこれらの軸受ハウジング内に配置されているリニアベアリング３にはそれぞれ長手スリットが設けられている。
【００４１】
支持体２６は逆Ｖ字形状の二つの脚部２７及び２８によって形成されており、これら脚部の各端部には、支持体２６を基礎部３１にボルトで固定するために同一平面上にあるフランジ２９及び３０が設けられている。
【図面の簡単な説明】
【図１ａ】第１の実施形態による遊動ベアリングの部分切欠正面図である。
【図１ｂ】図１ａの矢印Ｂ方向から見た遊動ベアリングの側面図である。
【図１ｃ】図１ａの矢印Ｃ方向から見た平面図である。
【図２ａ】第２の実施形態の部分切欠正面図である。
【図２ｂ】図２ａの矢印Ｂ方向から見た遊動ベアリングの側面図である。
【図２ｃ】図２ａの矢印Ｃ方向から見た平面図である。
【図３ａ】第３の実施形態の部分切欠正面図である。
【図３ｂ】図３ａの矢印Ｂ方向から見た遊動ベアリングの側面図である。
【図３ｃ】図３ａの矢印Ｃ方向から見た平面図である。
【図４ａ】図３ａ〜３ｃに示した遊動ベアリングを有し、二本のガイド軸上を案内されるスライドの正面図である。
【図４ｂ】図４ａの矢印Ｂ方向から見たスライドの側面図である。
【図４ｃ】図４ａの矢印Ｃ方向から見たスライドの側面図である。
【符号の説明】
１：接続片
２：軸受ハウジング
３：リニアベアリング
４：ガイド軸
５：軸心
６：軸心
７：軸平面
８：軸心
９：スライド
１０：枢支軸
１１：貫通穴
１２：突出ピン
１３：突出ピン
１４：案内部
１５：案内部
１６：取付板
１７：凹部
１８：突出部
１９：底部
２０：底面
２１：円筒形空間
２２：長手スリット
２３：長手スリット
２４：中心軸
２５：軸受ハウジング
２６：支持体
２７：脚部
２８：脚部
２９：フランジ
３０：フランジ
３１：基礎部
【国際公開パンフレット】
2004506149.tif 000003
2004506149.tif 000004
2004506149.tif 000005
2004506149.tif 000006
2004506149.tif 000007
2004506149.tif 000008
2004506149.tif 000009
2004506149.tif 000010
2004506149.tif 000011
2004506149.tif 000012
2004506149.tif 000013
2004506149.tif 000014
2004506149.tif 000015
2004506149.tif 000016
2004506149.tif 000017
2004506149.tif 000018
2004506149.tif 000019
2004506149.tif 000020
2004506149.tif 000021
2004506149.tif 000022
2004506149.tif 000023
2004506149.tif 000024
【手続補正書】
【提出日】平成14年11月16日(2002.11.16)
【手続補正１】
【補正対象書類名】明細書
【補正対象項目名】全文
【補正方法】変更
【補正の内容】
【発明の詳細な説明】
【書類名】明細書
【発明の名称】遊動ベアリング
【特許請求の範囲】
【請求項１】二本のガイド軸（４）で案内されるスライド（９）のための遊動ベアリングであって、これらガイド軸（４）の一つによって案内されるリニアベアリング（３）と、このリニアベアリング（３）を内蔵して接続片（１）でスライド（９）に結合される軸受ハウジング（２）とを有するものにおいて、前記軸受ハウジング（２）が、両ガイド軸（４）の軸心（５，６）で画定される軸平面（７）内で各ガイド軸（４）の長手方向と直角な方向に延在する二つの横向きピン状突部（１２，１３）を有し、これらのピン状突部が、軸受ハウジング（２）の側方位置で接続片（１）の各案内部（１４、１５）にそれぞれ軸方向摺動可能に取り付けられ、それにより軸受ハウジング（２）をガイド軸（４）の長手方向と直角な方向に移動可能としてあることを特徴とする遊動ベアリング。
【請求項２】前記接続片（１）に対して軸受ハウジング（２）がガイド軸（４）の長手方向と直角で且つ軸平面（７）と平行な方向に延在する軸心（８）を中心として枢動できるように取り付けられていることを特徴とする請求項１に記載の遊動ベアリング。
【請求項３】各ピン状突部（１２，１３）が円柱形状の外形を有すると共に円柱の軸心回りで枢動可能に各案内部（１４，１５）に取り付けられていることを特徴とする請求項１又は２に記載の遊動ベアリング。
【請求項４】前記接続片（１）がスライド（９）の台板へ固定するための取付板（１６）を有し、この取付板に軸受ハウジング（２）を取り付けるための各案内部（１４，１５）が設けられていることを特徴とする請求項１〜３のいずれか１項に記載の遊動ベアリング。
【請求項５】前記リニアベアリング（３）がプラスチック製滑り軸受として構成されていることを特徴とする請求項１〜４のいずれか１項に記載の遊動ベアリング。
【請求項６】前記軸受ハウジング（２）が円筒状外形のリニアベアリング（３）を受け入れる円筒状内形の閉空間（２１）を有することを特徴とする請求項１〜５のいずれか１項に記載の遊動ベアリング。
【請求項７】前記軸受ハウジング（２）が長手スリット（２３）を有する実質的に円筒状外形のリニアベアリング（３）を受け入れるための同様に長手スリット（２２）を有する実質的に円筒状内形の空間（２１）を有し、これら長手スリット（２２，２３）を各ガイド軸（４）の支持体（２６）が通過していることを特徴とする請求項１〜５のいずれか１項に記載の遊動ベアリング。
【請求項８】第１と第２のガイド軸（４）によって案内されるスライドであって、第１のガイド軸（４）に組み合わされた少なくとも一つのベアリングと、第２のガイド軸（４）に組み合わされた請求項１〜７のいずれか１項に記載の少なくとも一つの遊動ベアリングとを備えたことを特徴とするスライド。
【請求項９】それぞれスライド（９）に固定された軸受ハウジング（２５）を備え、前記第１のガイド軸（４）に組み合わされた二つのベアリングと、これら二つのベアリング間の距離の略半分の位置で前記第２のガイド軸（４）に組み合わされた請求項１〜７のいずれか１項に記載の一つの遊動ベアリングとを備えたことを特徴とする請求項８に記載のスライド。
【発明の詳細な説明】
【０００１】
本発明は、二本のガイド軸上を案内されるスライドのための遊動ベアリングに関し、特にこれらガイド軸の一つによって案内されるリニアベアリングと、このリニアベアリングを内蔵して接続片でスライドに結合される軸受ハウジングとを有する形式の遊動ベアリングに関するものである。
【０００２】
この種のスライドは、一方のガイド軸上の少なくとも一つのベアリングと、他方のガイド軸上の少なくとも一つのベアリングとによって案内されるため、一方のガイド軸のベアリングは、二本のガイド軸間の平行度の誤差を補償することのできる遊動ベアリングとして構成されていることが好ましい。
【０００３】
冒頭に述べた種類の遊動ベアリングの一例は米国特許第５３８８９１３号明細書に開示されている。この遊動ベアリングをスライドの結合する接続片は、ガイド軸から離反した側でリニアベアリングの軸受ハウジングに取り付けられた球面軸受用の軸受ブロックを備えている。更にこの接続片は、ボルトを通すためのヨーク延長部を有する支持プレートを備えている。このボルトは球面軸受を貫通して延在し、それによって球面軸受が軸受ブロックとそれに固定されたリニアベアリング用軸受ハウジングと共にガイド軸の長手方向に移動可能となっている。
【０００４】
また、独国特許発明第１９８０５９７４号明細書に開示されている遊動ベアリングでは、軸受ハウジングがフォーク状の連結部でスライドに結合されている。軸受ハウジングの上部においては穴の中に球体が挿入され、この球体が遊動ベアリングを案内するガイド軸上を転動するようになっている。下部においてはガイド軸と干渉しない範囲で軸受ハウジングが切削されている。スライドは球体が転動する上部フォーク状連結部に角形の溝を備えている。下部フォーク状連結部は板バネで形成されており、この板バネがガイド軸に対して弾性を伴って当接し、また上部フォーク状連結部を球体に押し付けるようになっている。
【０００５】
更に、仏国特許出願公開第２５３４５２１号明細書に開示されている遊動ベアリングにおける軸受ハウジングは、スライドとの間の接続片に設けられた開口内に二本のガイド軸で定まる軸平面内でガイド軸の長手方向と直交する方向へ摺動できるように配置されている。この構成により、二本のガイド軸で定まる軸平面と平行な軸受ハウジングの両側面は、上記開口の各内側面上を摺動する。
【０００６】
本発明の課題は、本明細書の冒頭に記載の形式の遊動ベアリングを更に改良して、耐用寿命が長く、しかもスライドを二本のガイド軸の軸心によって画定される軸平面と平行に正確に案内でき、組立も比較的簡単でコンパクトな構造とすることのできる遊動ベアリングを提供することにある。
【０００７】
この課題は、本発明によれば、冒頭に記載の形式の遊動ベアリングにおいて、両ガイド軸の軸心で画定される軸平面内で各ガイド軸の長手方向と直角な方向に延在する二つの横向きピン状突部を軸受ハウジングに設け、これらのピン状突部を軸受ハウジングの側方位置で接続片の各案内部にそれぞれ軸方向摺動可能に取り付けて、軸受ハウジングをガイド軸の長手方向と直角な方向に移動可能とすることにより解決されるものである。
【０００８】
このように、軸受ハウジングに対して接続片を横向きに配置したことにより、遊動ベアリングを極めてコンパクトに構成することができる。また、両ピン状突部と対応する案内部とを軸受ハウジングに対して横向きに配置したことにより、組み立てが極めて容易となるだけでなく、組み立てコストも大幅に低減されるものである。
【０００９】
本発明による遊動ベアリングに使用可能なリニアベアリングは、従来形式のいずれかのリニアベアリング、特に滑り軸受又は玉軸受形式のものとすることができる。本発明による遊動ベアリングは、全ての標準サイズのリニアベアリングに連結することができる。
【００１０】
本発明の好適な構成によれば、軸平面内及び該軸平面と直角な方向におけるそれぞれの平行誤差を補償可能とする目的で、接続片に対して軸受ハウジングが両ガイド軸の長手方向と直交し且つ軸平面と平行に延在する軸心を中心として枢動できるように装着される構成となっている。
【００１１】
軸受ハウジングを更にガイド軸の軸心回りにも枢動できるようにするため、各ピン状突部は外形が円柱形状であると共に軸心回りで枢動可能に各案内部に装着されている。
【００１２】
接続片は、接続片自体をスライドの台板へ固定するための取付板を備えていてもよく、その場合、軸受ハウジングを取り付けるための各案内部はこの取付板上に設けられることになる。一例として、取付板はネジを用いてスライドの台板に取り付けることができる。
【００１３】
但し、各案内部はスライドの台板上に直接設けてもよく、それによって接続片が各案内部と軸受ハウジングの直線移動又は枢動用取付部を取り囲むだけにしてもよい。
【００１４】
本発明の遊動ベアリングにおけるリニアベアリングは、特にプラスチック製滑り軸受として構成することができる。この場合、市販の標準サイズの滑り軸受を使用可能である。
【００１５】
本発明の遊動ベアリングにおける軸受ハウジングは、実質的に円筒状外形のリニアベアリングを受け入れる実質的に円筒状内形の閉空間を形成するものとしてもよい。このような構成は、二本のガイド軸の両端部をスライドの移動範囲の外でそれぞれ支持体によって保持する場合に検討するに値するものである。
【００１６】
ガイド軸の支持体は、スライドの移動範囲に亘って各ガイド軸の側面の一部に延在していてもよく、この場合、軸受ハウジングは長手スリットを有する実質的に円筒形の空間を有し、この空間に同様の長手スリットを有する実質的に円筒形のリニアベアリングが受け入れられるようになっている。この場合のこれら長手スリットは、支持体をそれぞれのガイド軸に連結している部分を通過させるためのものである。
【００１７】
本発明は第１と第２のガイド軸によって案内されるスライドも提供し、このスライドは、第１のガイド軸に組み合わされた少なくとも一つのベアリングと、第２のガイド軸に組み合わされた少なくとも一つの遊動ベアリングとを備えていることを特徴とする。この遊動ベアリングは前述の本発明による構成を備えた遊動ベアリングである。
【００１８】
この場合、好適な形態によるスライドは、第１のガイド軸に組み合わされた二つのベアリングと、これら二つのベアリング間の距離の略半分の位置で第２のガイド軸に組み合わされた本発明による一つの遊動ベアリングとを備えており、これらいずれのベアリングも、それぞれスライドに固定された軸受ハウジングを備えている。
【００１９】
尚、場合によっては一つのスライドにおいて本発明による遊動ベアリングの複数個を第２のガイド軸に組み合わせて使用してもよい。
【００２０】
本発明の幾つかの実施形態を図面と共に説明すれば以下の通りである。
【００２１】
ここで述べる二つの実施形態の図１ｂ〜２ｃに示されているように、この遊動ベアリングは軸受ハウジング２を有し、この軸受ハウジングは接続片１によってスライド（図３ａ〜３ｃ参照）に結合されると共にリニアベアリング３を内蔵している。
【００２２】
以下に詳述するように、接続片１は、軸受ハウジング２が各ガイド軸（図３ｂの符号４参照）の長手方向と直交し且つ両ガイド軸４の軸心（図３ａ〜３ｃの符号５と６参照）で画定される軸平面（図３ａの符号７参照）と平行に移動できる形態で取り付けられるように構成されている。
【００２３】
接続片１はまた、軸受ハウジング２が各ガイド軸４の長手方向と直角で且つ軸平面７と平行に延在する軸心８を中心として枢動できる形態で取り付けられるように構成されている。
【００２４】
接続片１は取付板１６で構成され、この取付板には、軸受ハウジング２の両側部のそれぞれにおいて案内部１４及び１５が一体成形されている。図１ａ〜１ｃに示す実施形態における軸受ハウジング２は、案内部１４及び１５内で軸方向摺動及び枢動可能に支持された二つの横向き配置の円柱ピン状突部１２及び１３を備えている。これらのピン状突部１２及び１３は、軸受ハウジング２の長手方向と直角で且つ取付板１６と平行に延在する軸受ハウジング２の中心軸２４上に同心配置されている。
【００２５】
一方、取付板１６上の軸受ハウジング２の両側部に一体成形された案内部４及び１５は前記各ピン状突部に対応する開口を有しており、これら開口内に軸受ハウジング２のピン状突部１２が中心軸２４の長手方向に沿って摺動可能且つ該中心軸まわりに枢動可能となるように取り付けられている。
【００２６】
軸受ハウジング２は、軸受ハウジング２がスライドの台板１６に対して平行な状態で軸受ハウジング２の底部１９が台板１６から或る距離だけ離れて位置するように案内部１４及び１５によって支持されている。この距離は比較的短い距離に維持することができるが、この距離によって台板１６に対する軸受ハウジング２の枢動角が制限されている。
【００２７】
図１ａ〜１ｃに示した実施形態では、軸受ハウジング２は円筒状内形の閉空間２１を有しており、この閉空間の中に対応する円筒状外形のリニアベアリング３が収容されている。従って、この形態のベアリングはスライドの移動範囲外で支持体により支持されたガイド軸に適している。
【００２８】
図２ａ〜２ｃは第２の実施形態を示しており、この第２の実施形態は、軸受ハウジング２が台板１６とは反対側の側部に長手スリット２２を有するという点で図１ａ〜１ｃの実施形態と異なっている。軸受ハウジング２の内部に配置されているリニアベアリング３も対応する長手スリット２３を備えている。この構成のベアリングは、図３ａに示すように下面側で長手方向に延在する支持体により適正位置に支持されているガイド軸に適している。
【００２９】
図３ａ〜３ｃは、二本の本質的に平行なガイド軸４と、これらガイド軸上で案内されるスライド９とからなるガイド装置の構成を示している。図３ａの左側に現れているガイド軸４には二つの非遊動固定ベアリング（図３ｃの側面図に特に明確に図示してある）が装着されており、これら固定ベアリングはスライド９に恒久的に連結されていると共に、それぞれブロック形式の固定軸受ハウジング２５とリニアベアリング３とによって構成されている。
【００３０】
図３ａの右側に現れているガイド軸４には、図２ａ〜２ｃに示した実施形態による遊動ベアリングが装着されている。図３ｂ及び３ｃに示すように、この遊動ベアリングは、二つの固定軸受ハウジング２５間の距離の略半分の位置に配置されている。従ってスライド９が移動する際に軸平面７（図３ａ参照）内の平衡誤差及び該軸平面７と直交する方向の平行誤差のいずれも補償可能である。
【００３１】
図３ａに特に明示してあるように、ガイド軸４の下面にはガイド軸全長に亘って延在する一体成形の支持体２６が設けられているので、軸受ハウジング２及び２５とこれらの軸受ハウジング内に配置されているリニアベアリング３にはそれぞれ長手スリットが設けられている。
【００３２】
支持体２６は逆Ｖ字形状の二つの脚部２７及び２８によって形成されており、これら脚部の各端部には、支持体２６を基礎部３１にボルトで固定するために同一平面上にあるフランジ２９及び３０が設けられている。
【図面の簡単な説明】
【図１ａ】第１の実施形態による遊動ベアリングの部分切欠正面図である。
【図１ｂ】図１ａの矢印Ｂ方向から見た遊動ベアリングの側面図である。
【図１ｃ】図１ａの矢印Ｃ方向から見た平面図である。
【図２ａ】第２の実施形態の部分切欠正面図である。
【図２ｂ】図２ａの矢印Ｂ方向から見た遊動ベアリングの側面図である。
【図２ｃ】図２ａの矢印Ｃ方向から見た平面図である。
【図３ａ】図２ａ〜２ｃに示した遊動ベアリングを有し、二本のガイド軸上を案内されるスライドの正面図である。
【図３ｂ】図３ａの矢印Ｂ方向から見たスライドの側面図である。
【図３ｃ】図３ａの矢印Ｃ方向から見たスライドの側面図である。
【符号の説明】
１：接続片
２：軸受ハウジング
３：リニアベアリング
４：ガイド軸
５：軸心
６：軸心
７：軸平面
８：軸心
９：スライド
１０：枢支軸
１１：貫通穴
１２：ピン状突部
１３：ピン状突部
１４：案内部
１５：案内部
１６：取付板
１９：底部
２１：円筒形空間
２２：長手スリット
２３：長手スリット
２４：中心軸
２５：軸受ハウジング
２６：支持体
２７：脚部
２８：脚部
２９：フランジ
３０：フランジ
３１：基礎部
【手続補正２】
【補正対象書類名】図面
【補正対象項目名】全図
【補正方法】変更
【補正の内容】
【図１ａ】
2004506149.tif 000025
【図１ｂ】
2004506149.tif 000026
【図１ｃ】
2004506149.tif 000027
【図２ａ】
2004506149.tif 000028
【図２ｂ】
2004506149.tif 000029
【図２ｃ】
2004506149.tif 000030
【図３ａ】
2004506149.tif 000031
【図３ｂ】
2004506149.tif 000032
【図３ｃ】
2004506149.tif 000033
【国際調査報告】
2004506149.tif 000034
2004506149.tif 000035
2004506149.tif 000036
2004506149.tif 000037
2004506149.tif 000038
2004506149.tif 000039